(57)【要約】【課題】周辺面積が限られる舞台上への大道具の迅速な搬出入を、安定して確実に行わせ得る舞台装置を提供する。【解決手段】ウインチ胴３の周面に設けた螺線溝に巻回保持されたワイヤ４を、両端の連結部の間にて導出して舞台５上の大道具７に連結し、この大道具７を、ウインチ胴３の回転に応じたワイヤ４の巻き取り及び引き出しにより舞台５上に搬出入する舞台装置において、ウインチ胴３と回転駆動用のモータ２とを搭載する架台10と、この架台10をウインチ胴３の軸長方向への移動自在に支持する基台11とを備え、基台11に固定してあり、ワイヤ４の導出によりウインチ胴３の周面に露出する螺線溝に係合する係合部材17を設ける。【選択図】図１
2008173371.tif 000002
【特許請求の範囲】
【請求項１】
ウインチ胴の周面に設けた螺線溝に巻回保持されたワイヤを、両端の連結部の間にて導出して舞台上の大道具に連結し、前記ウインチ胴の回転に応じて前記螺線溝の一側に巻き取られ、他側から引き出される前記ワイヤにより前記大道具を前記舞台上に搬出入する舞台装置において、
前記ウインチ胴を、回転駆動用のモータと共に搭載する架台と、
該架台を前記ウインチ胴の軸長方向への移動自在に支持する基台と、
該基台に固定してあり、前記ワイヤの導出部において前記ウインチ胴の周面に露出する螺線溝に係合する係合部材と
を備えることを特徴とする舞台装置。
【請求項２】
前記架台は、ウインチ胴及びモータの周囲を囲う枠体として構成してある請求項１記載の舞台装置。
【請求項３】
前記係合部材は、前記ウインチ胴から導出されるワイヤを案内するように前記基台に設けられたガイド部材に固定してある請求項１又は請求項２記載の舞台装置。
【請求項４】
前記ウインチ胴から導出したワイヤを舞台の床面上に設定された移動経路に沿って延設し、該ワイヤの中途に連結した大道具を前記床面に沿って移動させるように構成してある請求項１乃至請求項３のいずれかに記載の舞台装置。
【請求項５】
前記移動経路は、前記舞台の床面に敷設した疑似床に凹設された溝であり、該溝内に移動自在に保持され、前記ワイヤに連結された移動台を備える請求項４記載の舞台装置。
【発明の詳細な説明】
【技術分野】
【０００１】
本発明は、劇場の舞台上に、背景幕、背景画等の大道具を出し入れするための舞台装置に関する。
【背景技術】
【０００２】
演劇、ミュージカル等の公演においては、種々の大道具を舞台上に搬出入する作業が不可欠である。この作業は、多くの場合人手によって行われているが、例えば、迅速な場面転換を実現するために短時間のうちに多くの大道具を搬出入することが要求される場合があり、また、演出効果を高めるために上演中の舞台上に大道具を搬出入することが要求される場合がある。このような要求に対応するため、大道具の搬出入を電動ウインチにより行わせるようにした舞台装置が用いられている（例えば、特許文献１参照）。
【０００３】
図６は、この種の舞台装置の使用状態を模式的に示す平面図である。特許文献１には、背景幕等の舞台の上部に吊り下げて用いる大道具（吊り物）を上下させて搬出入するための構成について開示されているが、図６には、舞台の床面上に配置する大道具（床物）を搬出入させるための構成を示してある。
【０００４】
図示の如く電動ウインチ１は、モータ２を駆動源として軸回りに回転するウインチ胴３と、該ウインチ胴３に巻回保持されたワイヤ４とを備える公知の機械装置である。この電動ウインチ１を大道具の搬出入に用いる舞台装置は、図中に一部を示す舞台５の一側の袖部にウインチ胴３及びモータ２を設置し、このウインチ胴３の両端部近傍の周面に連結されたワイヤ４を、連結端の間から導出し舞台５の面上に設定された移動経路６に沿って折り返すように延設して、このワイヤ４の中途部に、前記移動経路６に沿って移動可能な移動台８を連結し、この移動台８に大道具７を取り付けた構成となっている。
【０００５】
この舞台装置においては、モータ２を駆動してウインチ胴３を正逆両方向に回転させた場合、前述の如く巻回保持されたワイヤ４は、ウインチ胴３の一側半部に巻き取られ、同時に他側半部から引き出される。これにより、ワイヤ４の中途部に取り付けられた大道具７は、図中に白抜矢符により示すように移動経路６に沿って移動台８と共に移動し、舞台５の面上に搬出入させることができる。この搬出入は、舞台５の面上での人手を要さずに実施可能であり、場面転換のための迅速な搬出入、上演中の舞台上への搬出入等、種々の要求に応えることができる。
【特許文献１】特開２００２−１１９７７４号公報
【発明の開示】
【発明が解決しようとする課題】
【０００６】
さて、以上の如く構成された舞台装置においては、舞台５上での大道具７の搬出入に支障を来さないことが重要である。従来においては、図６に示すように、移動経路６の入側及び出側にガイド部材40，40…を設け、ワイヤ４の折り返し部分にガイドローラ41を設けて、これらにより移動経路６に沿わせてワイヤ４を案内し、該ワイヤ４の移動に応じて前述の如くなされる大道具７の搬出入を確実に行わせるようにしている。
【０００７】
一方、大道具７の搬出入を確実に行わせるためには、ウインチ胴３へのワイヤ４の巻き取り及びウインチ胴３からのワイヤ４の引き出しが安定してなされることが重要である。ところがワイヤ４は、前述したように、ウインチ胴３の両端の連結部の間から導出されており、ワイヤ４の巻き取り及び引き出し位置は、ウインチ胴３の回転に伴って一方の連結端に向けて移行するため、ウインチ胴３から移動経路６に向かうワイヤ４が、図６中に１点鎖線により示すように、ウインチ胴３の軸心に直交する本来の導出方向に対して傾いた状態となり、この状態下にてウインチ胴３が回転した場合、該ウインチ胴３の周面に設けた螺線溝からワイヤ４が外れ、該ワイヤ４の巻き取り及び引き出しが不安定となるという問題がある。
【０００８】
電動ウインチ１においては、ワイヤ４の外れを防止し、ワイヤ４の巻き取り及び引き出しを安定して行わせて使用時における安全を確保するという観点から、ウインチ胴３に対するワイヤ４の傾斜角度θ（図６参照）の上限値が定められている。ところが、この上限値は、高々数°程度の微小な角度であり、図６に示す舞台装置において上限値を守ろうとした場合、舞台５の端部からウインチ胴３の設置位置までの離隔長Ｌを大とするか、大径のウインチ胴３を用い、ワイヤ４の巻き取り又は引き出し位置の変化長Ｗを小さくする必要があって、電動ウインチ１が設置される袖部の面積が限られた舞台５での適用が制限されるという問題がある。
【０００９】
この問題は、吊り物を上下動させるために電動ウインチを用いてある特許文献１に開示された舞台装置においても全く同様に生じ、床物及び吊り物を含めて多くの大道具を取り扱う公演においては、夫々の大道具をスペースを必要とせずに搬出入することができる舞台装置の実用化が切望されている。
【００１０】
本発明は斯かる事情に鑑みてなされたものであり、周辺面積が限られる舞台上への大道具の迅速な搬出入を、安定して確実に行わせ得る舞台装置を提供することを目的とする。
【課題を解決するための手段】
【００１１】
本発明の第１発明に係る舞台装置は、ウインチ胴の周面に設けた螺線溝に巻回保持されたワイヤを、両端の連結部の間にて導出して舞台上の大道具に連結し、前記ウインチ胴の回転に応じて前記螺線溝の一側に巻き取られ、他側から引き出される前記ワイヤにより前記大道具を前記舞台上に搬出入する舞台装置において、前記ウインチ胴を、回転駆動用のモータと共に搭載する架台と、該架台を前記ウインチ胴の軸長方向への移動自在に支持する基台と、該基台に固定してあり、前記ワイヤの導出部において前記ウインチ胴の周面に露出する螺線溝に係合する係合部材とを備えることを特徴とする。
【００１２】
本発明においては、ウインチ胴が回転するとき、ワイヤを巻回保持するためにウインチ胴の周面に設けた螺線溝に係合する係合部材の作用により、ウインチ胴及びモータが、これらを搭載する架台と共に移動し、係合部材の係合位置、即ち、ワイヤの導出位置を不動に保ち、ウインチ胴の回転によるワイヤの巻き取り及びワイヤの引き出しを安定して行わせる。
【００１３】
本発明の第２発明に係る舞台装置は、第１発明における架台が、ウインチ胴及びモータの周囲を囲う枠体として構成してあることを特徴とする。
【００１４】
この発明においては、ウインチ胴及びモータを搭載する架台を、ウインチ胴及びモータの周囲を囲う枠体とし、ウインチ胴及びモータの支持剛性を確保しつつ軽量化して、係合部材の作用によるウインチ胴の移動を滑らかに生じさせると共に、架台に搭載されたモータ及びウインチ胴への異物の接触を防止し、不慮の事故による動作不良の発生の虞れを緩和する。
【００１５】
本発明の第３発明に係る舞台装置は、第１又は第２発明における係合部材が、前記ウインチ胴から導出されるワイヤを案内するように前記基台に設けられたガイド部材に固定してあることを特徴とする。
【００１６】
この発明においては、ウインチ胴から導出されるワイヤを案内するガイド部材に係合部材を固定し、ワイヤの導出によりウインチ胴の周面に露出する螺線溝への係合を確実に実現する。
【００１７】
本発明の第４発明に係る舞台装置は、前記ウインチ胴から導出したワイヤを舞台の床面上に設定された移動経路に沿って延設し、該ワイヤの中途に連結した大道具を前記床面に沿って移動させるように構成してあることを特徴とする。
【００１８】
この発明においては、舞台の床面上に配置する大道具（床物）を搬出入させるために用いたから、電動ウインチを用いた舞台上への床物の迅速な搬出入を、袖部に十分な面積を確保し得ない場合においても実現することができる。
【００１９】
本発明の第５発明に係る舞台装置は、第４発明における移動経路が、前記舞台の床面に敷設した疑似床に凹設された溝であり、該溝内に移動自在に保持され、前記ワイヤに連結された移動台を備えることを特徴とする。
【００２０】
この発明においては、舞台の床面を底上げする疑似床に凹溝を設け、この凹溝内にワイヤを配し、移動台に連結して移動経路を設定してあるから、この移動台に取り付けた大道具の搬出入を、舞台の床面上にワイヤを露出させることなく。また既設の舞台の床面を加工することなく実施することが可能となる。
【発明の効果】
【００２１】
本発明に係る舞台装置においては、ウインチ胴の周面の螺線溝に係合部材を係合し、この係合部材の作用により、ウインチ胴及びモータを、これらを搭載する架台と共に移動させる構成としたから、舞台へのワイヤの導出位置を、ウインチ胴の回転に伴って変化する巻き取り及び引き出し位置の如何に拘らず一定に保つことができ、舞台上に大道具を搬出入するためのワイヤの巻き取り及び引き出しを、該ワイヤの傾斜を伴うことなく安定して行わせることができ、舞台面上への大道具の迅速な搬出入を、袖部に大面積を必要とせずに確実に実施することができる。
【発明を実施するための最良の形態】
【００２２】
以下本発明をその実施の形態を示す図面に基づいて詳述する。図１は、本発明に係る舞台装置の使用状態を模式的に示す平面図である。なお以下に示す実施の形態は、図６に示す舞台装置と同様に、舞台の床面上に配置して用いる大道具（床物）の搬出入に適用する場合について説明するが、本発明に係る舞台装置は、舞台の上部に吊り下げて用いる大道具（吊り物）を上下させて搬出入する場合にも適用可能であることは言うまでもない。
【００２３】
本発明に係る舞台装置は、モータ２を駆動源として軸回りに回転するウインチ胴３と、該ウインチ胴３に巻回保持されたワイヤ４とを有する電動ウインチ１を備えている。この電動ウインチ１は、図中に一部を示す舞台５の一側の袖部に設置してある。
【００２４】
ワイヤ４は、ウインチ胴３の両端部近傍の周面に連結し、連結端の間から導出して舞台５の面上に設定された移動経路６に沿って折り返すように延設してある。ワイヤ４の中途部には、図中に２点鎖線により示すように、移動経路６内において移動可能な移動台８が連結してあり、この移動台８に大道具７を取り付けた構成となっている。
【００２５】
移動経路６の入側及び出側には、ワイヤ４をガイドする各一対のガイド体40，40が、またワイヤ４の折り返し部には、縦軸回りに回転するガイドローラ41が夫々設けてあり、ウインチ胴３から導出されたワイヤ４は、図示の如く、入側及び出側のガイド体40，40…による案内下にて移動経路６内に導き、ガイドローラ41に巻き掛けて折り返してある。
【００２６】
以上の構成は、図６に示す従来の舞台装置と同様であるが、本発明に係る舞台装置において、ウインチ胴３は、回転駆動用のモータ２と共に架台10に搭載してある。図１に示す如く架台10は、矩形箱形に枠組みされた枠体であり、ウインチ胴３は、架台10の幅方向一側半部に、長手方向に沿う軸回りに回転自在に支持されている。またモータ２は、架台10の他側半部に、ウインチ胴３と平行をなして固定支持されており、一側に突出するモータ２の出力軸は、伝動ベルト20を介してウインチ胴３に連結されている。
【００２７】
以上のようにウインチ胴３及びモータ２を搭載する架台10は、基台11の上面に支持されている。図示の基台11は、架台10よりもやや広幅であり、適宜に長い矩形の平板であり、基台11の上面には、幅方向に適長離隔した位置に、長手方向の略全長に亘って延びる２本のガイドレール12，12が並設してある。架台10の下面の長手方向両端部には、ガイドレール12，12と対応する幅方向位置に各一対の支持ブロック13，13が設けてあり、架台10は、これらの支持ブロック13，13をガイドレール12，12に夫々係合させて基台11上に支持してある。
【００２８】
このように支持された架台10は、ガイドレール12，12に沿った支持ブロック13，13の移動により、基台11及び架台10の長手方向、即ち、ウインチ胴３の軸長方向への移動が可能である。なお基台11は、ウインチ胴３の軸長方向への移動を可能として架台10を支持し得る構成を有しておればよく、図示のような平板形状に限らず、架台10と同様、矩形に枠組みされた枠体により構成することもできる。
【００２９】
基台11の上面には、長手方向の一側縁の略中央に、平板状をなすガイド部材14が立設されている。図２は、図１のIIーII線による拡大横断面図であり、ガイド部材14の配設位置近傍を拡大して示してある。図示のようにガイド部材14は、ウインチ胴３の周面に対向配置された平板であり、ウインチ胴３の回転軸30に対応する高さ位置に開設されたワイヤ４の導出孔15を備えている。
【００３０】
なお図２には、基台11の上面のガイドレール12と、架台10の下面の支持ブロック13との係合状態も図示されている。ガイドレール12と支持ブロック13との係合は、本図に示すような単純な凹凸係合であってもよいが、両者の接触部にローラを介装して、ガイドレール12に沿った支持ブロック13の移動、即ち、基台11上での架台10の移動を前記ローラによる転がり抵抗下にて滑らかに行わせることが可能である。
【００３１】
図３は、ガイド部材14とウインチ胴３の対応関係を示す平面図である。本図に示すように導出孔15は、ウインチ胴３の軸長方向に適長離隔した２カ所に設けてあり、一方の導出孔15の上位置及び他方の導出孔15の下位置には、ウインチ胴３との対向側に、水平軸回りに回転するガイドローラ16，16が夫々取り付けてある。
【００３２】
図３に示すようにワイヤ４は、ウインチ胴３の周面に形成された螺線溝31に巻回保持されており、夫々の導出孔15，15に対向する位置において引き出され、各別の導出孔15，15を経て外部に導出されている。導出孔15，15の上下に設けたガイドローラ16，16は、図２に示すように、ウインチ胴３の上下から接線方向に引き出されるワイヤ４に下位置又は上位置から転接して、導出孔15，15に向けて案内する作用をなす。
【００３３】
またガイド部材14のウインチ胴３との対向面には、導出孔15，15の間に位置して係合部材17が固定してある。この係合部材17は、図２に示すように、ウインチ胴３に向けて突出する平板状の部材であり、その先端は、ワイヤ４の巻き掛けのためにウインチ胴３の周面に設けた螺線溝31に適長に亘って係合させてある。係合部材17は、導出孔15，15の間に位置しており、ウインチ胴３に巻回保持されたワイヤ４は、導出孔15，15の相当位置にて導出されている。従って、係合部材17は、ワイヤ４の導出によりウインチ胴３の周面に露出する螺線溝31に係合することができ、この係合状態は、ウインチ胴３の回転に応じて以下の如く生じるワイヤ４の導出位置の如何に拘らず維持される。
【００３４】
前述したように本発明に係る舞台装置は、以上の如く構成された電動ウインチ１を舞台５の一側の袖部に設置し、ウインチ胴３からガイド部材14の導出孔15，15を経て導出されるワイヤ４を、舞台５の面上に設定された移動経路６に沿って折り返すように延設し、このワイヤ４の中途部に連結され、移動経路６に沿って移動可能な移動台８に大道具７を取り付けて使用される。
【００３５】
この状態でモータ２を駆動してウインチ胴３を正逆両方向に回転させた場合、ウインチ胴３から導出されたワイヤ４は、導出部の一側においてウインチ胴３に巻き取られ、他側においてウインチ胴３から引き出されることとなり、ワイヤ４の中途部に前述の如く取り付けられた大道具７は、図１中に白抜矢符により示すように移動経路６に沿って移動台８と共に移動させ、舞台５の床面上に大道具７を搬出入させることができる。
【００３６】
ここでワイヤ４は、ウインチ胴３の両端に連結されており、このワイヤ４の巻き取り及び引き出し位置は、ウインチ胴３の回転に伴って一方の連結端に向けて移行する。本発明に係る舞台装置においてウインチ胴３は、基台11上での架台10の移動により軸長方向に移動することができる一方、前述の如く、ワイヤ４の導出によりウインチ胴３の周面に露出する螺線溝31に係合部材17が係合しており、この係合部材17の係合位置もウインチ胴３の回転に伴って移行し、この移行量は、螺線溝31に巻回されたワイヤ４の巻き取り及び引き出し位置の移行量に等しい。
【００３７】
係合部材17は、基台11に立設されたガイド部材14に固定されているから、モータ２からの伝動により回転するウインチ胴３は、係合部材17の係合位置の移行に応じて架台10と共に軸長方向に移動することとなり、ワイヤ４の巻き取り及び引き出し位置と、係合部材17の両側に位置する導出孔15，15の位置関係は変化しない。図４は、本発明に係る舞台装置の動作説明図であり、（ａ），（ｂ）は、ワイヤ４の巻き取り及び引き出し位置がウインチ胴３の両端近傍に移行した状態を示している。
【００３８】
本図に示すようにワイヤ４の巻き取り及び引き出し位置が移行するとき、ウインチ胴３は、基台11上での架台10の移動を伴って図示の位置となるが、ワイヤ４の巻き取り及び引き出し位置は、基台11及びガイド部材14に対して変化せず、ガイド部材14からのワイヤ４の導出位置は、ウインチ胴３の回転の如何に拘らず一定に維持される。
【００３９】
従って、図１及び図４に示すように、舞台５上に設定された移動経路６の入側にガイド部材14が正対するように電動ウインチ１を設置した場合、ウインチ胴３に巻回されたワイヤ４を移動経路６に対して傾斜することなく導入することができる。この導入姿勢は、ウインチ胴３の全回転範囲に亘って変化しないから、ワイヤ４の巻き取り及び引き出しを安定して行わせることができ、移動経路６に沿ってなされる舞台５上での大道具７の搬出入に支障を来す虞れがない。
【００４０】
ウインチ胴３及びモータ２を搭載する架台10は、前述の如く枠体により構成してある。従って、強度を確保しつつ軽量化することができ、基台11上での架台10の移動を滑らかに行わせることができる。また前述したように、基台11も枠体として構成することができ、この場合、電動ウインチ１全体の軽量化が可能となり、搬送及び設置に要する手間を削減することができる。枠体として構成された架台10及び基台11は、モータ２及びウインチ胴３への異物の接触を防止する作用もなすから、不慮の接触事故による動作不良の発生を防止し、安全性の向上を図ることができる。
【００４１】
係合部材17は、基台11に固定されており、ウインチ胴３の周面の螺線溝31に対して係合可能であればいかなる位置に設けることも可能であるが、実施の形態に示すように、ウインチ胴３から導出されるワイヤ４を案内するガイド部材14に設けるのが望ましい。なお、実施の形態の係合部材17は、単純な板材として図示してあるが、ウインチ胴３の移動案内に伴って横方向の力が作用するから、ガイド部材14と共にリブ等の手段により補強し、十分な強度を確保するように構成するのが望ましい。また架台10の移動は、ウインチ胴３の周面の螺線溝31に対する係合部材17の摺接を伴って生じるから、係合部材17は、少なくとも先端の係合部に熱処理を施し、摺接に伴う摩耗を軽減する構成とするのが望ましい。
【００４２】
舞台５上の移動経路６は、床面上へのワイヤ４の露出を防止するために、床面上に設けた凹溝により構成するのが望ましい。但し、既設の舞台５の床面に凹溝を設けることは実質上不可能である。図５は、このような場合の移動経路の設定方法の説明図であり、図示の如く、既設の舞台５の床面に疑似床50を敷設し、この疑似床50に形成した凹溝51内にワイヤ４を収め、このワイヤ４の中途部に凹溝51内に移動自在に保持された移動台８を連結して移動経路６を設定する。このようにすれば、既設の舞台５の床面に手を加えることなく本発明に係る舞台装置を適用することができる。
【００４３】
図示の移動台８の上面には、平板状をなす固定用のブラケット80，80が適宜の間隔を隔てて設けてあり、図中に２点鎖線により示す大道具７の下部をブラケット80，80間に差し込み固定するように構成してある。この固定手段は、単なる例示であり、一般の舞台装置において採用されている適宜の固定手段を用いることができる。
【００４４】
なお以上の実施の形態においては、ウインチ胴３に巻回されたワイヤ４をガイド部材14に設けた導出孔15，15に通し、水平面内に並べて引き出すように構成してあるが、ウインチ胴３の夫々の位置から接線方向にワイヤ４を引き出し、ウインチ胴３の直径分だけ上下に離れた位置にて舞台５に導くように構成してもよい。この場合、例えば、上位置から引き出したワイヤ４は舞台５上に設定された移動経路６に沿わせ、下位置から引き出したワイヤ４は舞台５の床下を通して逆側に導き、横軸回りに回転するガイドローラ41に巻き掛ける形態にて使用される。
【００４５】
また以上の実施の形態においては、ウインチ胴３を搭載する架台10を、横置きされた基台11の上面に載架支持してあるが、横置きされた基台11の下面に吊り下げ支持することも可能であり、また、縦置きされた基台11の側面に支持することも可能である。
【図面の簡単な説明】
【００４６】
【図１】本発明に係る舞台装置の使用状態を模式的に示す平面図である。
【図２】図１のIIーII線による拡大横断面図である。
【図３】ガイド部材とウインチ胴の対応関係を示す平面図である。
【図４】本発明に係る舞台装置の動作説明図である。
【図５】移動経路の設定方法の説明図である。
【図６】従来の舞台装置の使用状態を模式的に示す平面図である。
【符号の説明】
【００４７】
１    電動ウインチ
２    モータ
３    ウインチ胴
４    ワイヤ
５    舞台
６    移動経路
７    大道具
８    移動台
10    架台
11    基台
14    ガイド部材
17    係合部材
31    螺線溝
50    疑似床
51    凹溝
【図１】
2008173371.tif 000003
【図２】
2008173371.tif 000004
【図３】
2008173371.tif 000005
【図４】
2008173371.tif 000006
【図５】
2008173371.tif 000007
【図６】
2008173371.tif 000008
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
ウインチ胴の周面に設けた螺旋溝に巻回保持されたワイヤを、両端の連結部の間にて導出して舞台上の大道具に連結し、前記ウインチ胴の回転に応じて前記螺旋溝の一側に巻き取られ、他側から引き出される前記ワイヤにより前記大道具を前記舞台上に搬出入する舞台装置において、
前記ウインチ胴を、回転駆動用のモータと共に搭載する架台と、
該架台を前記ウインチ胴の軸長方向への移動自在に支持する基台と、
該基台に固定してあり、前記ワイヤの導出部において前記ウインチ胴の周面に露出する螺旋溝に係合する係合部材と
を備えることを特徴とする舞台装置。
【請求項２】
前記架台は、ウインチ胴及びモータの周囲を囲う枠体として構成してある請求項１記載の舞台装置。
【請求項３】
前記係合部材は、前記ウインチ胴から導出されるワイヤを案内するように前記基台に設けられたガイド部材に固定してある請求項１又は請求項２記載の舞台装置。
【請求項４】
前記ウインチ胴から導出したワイヤを舞台の床面上に設定された移動経路に沿って延設し、該ワイヤの中途に連結した大道具を前記床面に沿って移動させるように構成してある請求項１乃至請求項３のいずれかに記載の舞台装置。
【請求項５】
前記移動経路は、前記舞台の床面に敷設した疑似床に凹設された溝であり、該溝内に移動自在に保持され、前記ワイヤに連結された移動台を備える請求項４記載の舞台装置。
【手続補正２】
【補正対象書類名】明細書
【補正対象項目名】０００７
【補正方法】変更
【補正の内容】
【０００７】
一方、大道具７の搬出入を確実に行わせるためには、ウインチ胴３へのワイヤ４の巻き取り及びウインチ胴３からのワイヤ４の引き出しが安定してなされることが重要である。ところがワイヤ４は、前述したように、ウインチ胴３の両端の連結部の間から導出されており、ワイヤ４の巻き取り及び引き出し位置は、ウインチ胴３の回転に伴って一方の連結端に向けて移行するため、ウインチ胴３から移動経路６に向かうワイヤ４が、図６中に１点鎖線により示すように、ウインチ胴３の軸心に直交する本来の導出方向に対して傾いた状態となり、この状態下にてウインチ胴３が回転した場合、該ウインチ胴３の周面に設けた螺旋溝からワイヤ４が外れ、該ワイヤ４の巻き取り及び引き出しが不安定となるという問題がある。
【手続補正３】
【補正対象書類名】明細書
【補正対象項目名】００１１
【補正方法】変更
【補正の内容】
【００１１】
本発明の第１発明に係る舞台装置は、ウインチ胴の周面に設けた螺旋溝に巻回保持されたワイヤを、両端の連結部の間にて導出して舞台上の大道具に連結し、前記ウインチ胴の回転に応じて前記螺旋溝の一側に巻き取られ、他側から引き出される前記ワイヤにより前記大道具を前記舞台上に搬出入する舞台装置において、前記ウインチ胴を、回転駆動用のモータと共に搭載する架台と、該架台を前記ウインチ胴の軸長方向への移動自在に支持する基台と、該基台に固定してあり、前記ワイヤの導出部において前記ウインチ胴の周面に露出する螺旋溝に係合する係合部材とを備えることを特徴とする。
【手続補正４】
【補正対象書類名】明細書
【補正対象項目名】００１２
【補正方法】変更
【補正の内容】
【００１２】
本発明においては、ウインチ胴が回転するとき、ワイヤを巻回保持するためにウインチ胴の周面に設けた螺旋溝に係合する係合部材の作用により、ウインチ胴及びモータが、これらを搭載する架台と共に移動し、係合部材の係合位置、即ち、ワイヤの導出位置を不動に保ち、ウインチ胴の回転によるワイヤの巻き取り及びワイヤの引き出しを安定して行わせる。
【手続補正５】
【補正対象書類名】明細書
【補正対象項目名】００１６
【補正方法】変更
【補正の内容】
【００１６】
この発明においては、ウインチ胴から導出されるワイヤを案内するガイド部材に係合部材を固定し、ワイヤの導出によりウインチ胴の周面に露出する螺旋溝への係合を確実に実現する。
【手続補正６】
【補正対象書類名】明細書
【補正対象項目名】００２１
【補正方法】変更
【補正の内容】
【００２１】
本発明に係る舞台装置においては、ウインチ胴の周面の螺旋溝に係合部材を係合し、この係合部材の作用により、ウインチ胴及びモータを、これらを搭載する架台と共に移動させる構成としたから、舞台へのワイヤの導出位置を、ウインチ胴の回転に伴って変化する巻き取り及び引き出し位置の如何に拘らず一定に保つことができ、舞台上に大道具を搬出入するためのワイヤの巻き取り及び引き出しを、該ワイヤの傾斜を伴うことなく安定して行わせることができ、舞台面上への大道具の迅速な搬出入を、袖部に大面積を必要とせずに確実に実施することができる。
【手続補正７】
【補正対象書類名】明細書
【補正対象項目名】００３２
【補正方法】変更
【補正の内容】
【００３２】
図３に示すようにワイヤ４は、ウインチ胴３の周面に形成された螺旋溝31に巻回保持されており、夫々の導出孔15，15に対向する位置において引き出され、各別の導出孔15，15を経て外部に導出されている。導出孔15，15の上下に設けたガイドローラ16，16は、図２に示すように、ウインチ胴３の上下から接線方向に引き出されるワイヤ４に下位置又は上位置から転接して、導出孔15，15に向けて案内する作用をなす。
【手続補正８】
【補正対象書類名】明細書
【補正対象項目名】００３３
【補正方法】変更
【補正の内容】
【００３３】
またガイド部材14のウインチ胴３との対向面には、導出孔15，15の間に位置して係合部材17が固定してある。この係合部材17は、図２に示すように、ウインチ胴３に向けて突出する平板状の部材であり、その先端は、ワイヤ４の巻き掛けのためにウインチ胴３の周面に設けた螺旋溝31に適長に亘って係合させてある。係合部材17は、導出孔15，15の間に位置しており、ウインチ胴３に巻回保持されたワイヤ４は、導出孔15，15の相当位置にて導出されている。従って、係合部材17は、ワイヤ４の導出によりウインチ胴３の周面に露出する螺旋溝31に係合することができ、この係合状態は、ウインチ胴３の回転に応じて以下の如く生じるワイヤ４の導出位置の如何に拘らず維持される。
【手続補正９】
【補正対象書類名】明細書
【補正対象項目名】００３６
【補正方法】変更
【補正の内容】
【００３６】
ここでワイヤ４は、ウインチ胴３の両端に連結されており、このワイヤ４の巻き取り及び引き出し位置は、ウインチ胴３の回転に伴って一方の連結端に向けて移行する。本発明に係る舞台装置においてウインチ胴３は、基台11上での架台10の移動により軸長方向に移動することができる一方、前述の如く、ワイヤ４の導出によりウインチ胴３の周面に露出する螺旋溝31に係合部材17が係合しており、この係合部材17の係合位置もウインチ胴３の回転に伴って移行し、この移行量は、螺旋溝31に巻回されたワイヤ４の巻き取り及び引き出し位置の移行量に等しい。
【手続補正１０】
【補正対象書類名】明細書
【補正対象項目名】００４１
【補正方法】変更
【補正の内容】
【００４１】
係合部材17は、基台11に固定されており、ウインチ胴３の周面の螺旋溝31に対して係合可能であればいかなる位置に設けることも可能であるが、実施の形態に示すように、ウインチ胴３から導出されるワイヤ４を案内するガイド部材14に設けるのが望ましい。なお、実施の形態の係合部材17は、単純な板材として図示してあるが、ウインチ胴３の移動案内に伴って横方向の力が作用するから、ガイド部材14と共にリブ等の手段により補強し、十分な強度を確保するように構成するのが望ましい。また架台10の移動は、ウインチ胴３の周面の螺旋溝31に対する係合部材17の摺接を伴って生じるから、係合部材17は、少なくとも先端の係合部に熱処理を施し、摺接に伴う摩耗を軽減する構成とするのが望ましい。
【手続補正１１】
【補正対象書類名】明細書
【補正対象項目名】００４７
【補正方法】変更
【補正の内容】
【００４７】
１    電動ウインチ
２    モータ
３    ウインチ胴
４    ワイヤ
５    舞台
６    移動経路
７    大道具
８    移動台
10    架台
11    基台
14    ガイド部材
17    係合部材
31    螺旋溝
50    疑似床
51    凹溝
【手続補正書】
【提出日】平成19年12月6日(2007.12.6)
【手続補正１】
【補正対象書類名】特許請求の範囲
【補正対象項目名】請求項１
【補正方法】変更
【補正の内容】
【請求項１】
ウインチ胴の周面に設けた螺旋溝に巻回保持されたワイヤを、両端の連結部の間にて導出して舞台上の大道具に連結し、前記ウインチ胴の回転に応じて導出部の一側の螺旋溝に巻き取られ、他側の螺旋溝から引き出される前記ワイヤにより前記大道具を前記舞台上に搬出入する舞台装置において、
前記ウインチ胴を、回転駆動用のモータと共に搭載する架台と、
該架台を前記ウインチ胴の軸長方向への移動自在に支持する基台と、
該基台に固定してあり、前記ワイヤの巻き取り位置及び引き出し位置の間の前記ウインチ胴の周面に前記ワイヤの導出により露出する螺旋溝に係合する係合部材と
を備えることを特徴とする舞台装置。
【手続補正２】
【補正対象書類名】明細書
【補正対象項目名】００１１
【補正方法】変更
【補正の内容】
【００１１】
本発明の第１発明に係る舞台装置は、ウインチ胴の周面に設けた螺旋溝に巻回保持されたワイヤを、両端の連結部の間にて導出して舞台上の大道具に連結し、前記ウインチ胴の回転に応じて導出部の一側の螺旋溝に巻き取られ、他側の螺旋溝から引き出される前記ワイヤにより前記大道具を前記舞台上に搬出入する舞台装置において、前記ウインチ胴を、回転駆動用のモータと共に搭載する架台と、該架台を前記ウインチ胴の軸長方向への移動自在に支持する基台と、該基台に固定してあり、前記ワイヤの巻き取り位置及び引き出し位置の間の前記ウインチ胴の周面に前記ワイヤの導出により露出する螺旋溝に係合する係合部材とを備えることを特徴とする。
【手続補正３】
【補正対象書類名】明細書
【補正対象項目名】００２１
【補正方法】変更
【補正の内容】
【００２１】
本発明に係る舞台装置においては、ウインチ胴からのワイヤの導出により、該ワイヤの巻き取り位置と引き出し位置との間の周面に露出する螺旋溝に係合部材を係合し、この係合部材の作用により、ウインチ胴及びモータを、これらを搭載する架台と共に移動させる構成としたから、舞台へのワイヤの導出位置を、ウインチ胴の回転に伴って変化する巻き取り及び引き出し位置の如何に拘らず一定に保つことができ、舞台上に大道具を搬出入するためのワイヤの巻き取り及び引き出しを、該ワイヤの傾斜を伴うことなく安定して行わせることができ、舞台面上への大道具の迅速な搬出入を、袖部に大面積を必要とせずに確実に実施することができる。
【手続補正４】
【補正対象書類名】明細書
【補正対象項目名】００３５
【補正方法】変更
【補正の内容】
【００３５】
この状態でモータ２を駆動してウインチ胴３を正逆両方向に回転させた場合、ウインチ胴３から導出されたワイヤ４は、導出部の一側においてウインチ胴３に巻き取られ、他側においてウインチ胴３から引き出されることとなり、ワイヤ４の中途部に前述の如く取り付けられた大道具７は、図１中に白抜矢符により示すように移動経路６に沿って移動台８と共に移動せしめられ、舞台５の床面上に大道具７を搬出入させることができる。